(57)【要約】【課題】室内空間を広くすることができるとともに、外壁材が重量物であっても強固に支持することができ、しかも断熱材の厚さの変更に対応できる外断熱建物構造を提供することにある。【解決手段】柱２７の外側面に幅方向の一端部が固定され、幅方向の他端部が外壁材４２方向に突出するとともに、柱の高さ方向の略全長に亘って第１の波板部材４８を設け、柱に対向する外壁材の内側面に幅方向の一端部が固定され、幅方向の他端部が柱方向に突出するとともに、外壁材の高さ方向の略全長に亘って第２の波板部材４９を設け、第１と第２の波状部材４８，４９によって断熱材及び外壁材の幅方向の両端部を支持する支持壁４７を構成し、支持壁は、第１と第２の波状部材の波状部を重ね合わせ、断熱材の厚さに応じて波状部の重ね幅を調整した状態で第１と第２の波状部材とを連結したことを特徴とする。【選択図】    図２
2005023678.tif 000002
【特許請求の範囲】
【請求項１】
土台と梁桁及び前記土台と梁桁とを連結する複数本の柱とからなる躯体の外側に断熱材を設け、この断熱材の外側に通気層を介して外壁材を設けて建物外装体を構成し、前記躯体に前記通気層と連通する床下換気口を設けるとともに、天井と屋根との間の屋根裏空間に換気口を設けた外断熱建物構造であって、
前記柱の外側面に幅方向の一端部が固定され、幅方向の他端部が前記外壁材方向に突出するとともに、前記柱の高さ方向の略全長に亘って第１の波板部材を設け、前記柱に対向する前記外壁材の内側面に幅方向の一端部が固定され、幅方向の他端部が前記柱方向に突出するとともに、前記外壁材の高さ方向の略全長に亘って第２の波板部材を設け、前記第１と第２の波状部材によって前記断熱材及び外壁材の幅方向の両端部を支持する支持壁を構成し、
前記支持壁は、第１と第２の波状部材の波状部を重ね合わせ、前記断熱材の厚さに応じて前記波状部の重ね幅を調整した状態で第１と第２の波状部材とを連結したことを特徴とする外断熱建物構造。
【請求項２】
前記断熱材は、１枚もしくは複数枚を重ね合わせて構成され、少なくとも外壁材側に位置する断熱材の外側面には凹条部と凸条部とが上下方向に亘って設けられ、前記凹条部によって前記通気層が形成されることを特徴とする請求項１記載の外断熱建物構造。
【請求項３】
前記第１と第２の波板部材は、前記柱または外壁材に固定される固定部材と、この固定部材に幅方向の一端部が固定される剛性を有する金属波板とから構成されていることを特徴とする請求項１記載の外断熱建物構造。
【請求項４】
前記断熱材は、基礎コンクリートの外側まで延長し、基礎コンクリートを覆っていることを特徴とする請求項１記載の外断熱建物構造。
【発明の詳細な説明】
【０００１】
【発明の属する技術分野】
この発明は、冷暖房システムの負担を軽減し、省エネルギー化を図ることができる外断熱建物構造に関する。
【０００２】
【従来の技術】
木造住宅または鉄骨木造住宅等の建物において、従来の外断熱建物構造は、図４に示すように、土台１と梁桁２及び土台１と梁桁２とを連結する複数本の柱３によって囲まれる空間に断熱材４を設け、この断熱材４の外側に通気層５を介して外壁材６を設けて建物外装体７を構成している。
【０００３】
この外断熱建物は、躯体に前記通気層５と連通する床下換気口８を設けるとともに、天井９と屋根１０との間の屋根裏空間１１に換気口１２を設け、床下換気口８から侵入した空気が通気層５を上昇して屋根裏空間１１の換気口１２から排気されるようになっている。
【０００４】
ところで、断熱材４は、ボード状の発泡プラスチック系断熱材によって構成され、断熱要求に応じて１枚または複数枚を重ね合わせている。この断熱材４は内壁材１３に対してタッカー等の止め金具によって固定している。また、外壁材６は、モルタル、タイル等によって構成され、梁桁２及び柱３に固定された胴縁（図示しない）に対して固定されている。
【０００５】
【発明が解決しようとする課題】
しかしながら、前述のように構成された外断熱建物構造は、土台１と梁桁２及び土台１と梁桁２とを連結する複数本の柱３によって囲まれる空間に断熱材４を介装し、内壁材１３に対してタッカー等の止め金具によって固定している。
【０００６】
従って、柱３と柱３との間の空間が断熱材４によって埋められた状態にあり、その分だけ室内空間が狭くなる。しかも、断熱材４が内壁材１３に対してタッカー等の止め金具によって固定しただけであり、時間の経過とともに断熱材４が下方にずれ落ち、上層の梁桁２付近には断熱材４が存在しない空洞部となってしまい、断熱効果が得られないという問題がある。
【０００７】
この発明は、前記事情に着目してなされたもので、その目的とするところは、柱の外側に断熱材を設け、室内空間を広くすることができるとともに、外壁材、断熱材を強固に固定でき、しかも断熱材の厚さの変更に対応できる外断熱建物構造を提供することにある。
【０００８】
【課題を解決するための手段】
この発明は、前記目的を達成するために、請求項１は、土台と梁桁及び前記土台と梁桁とを連結する複数本の柱とからなる躯体の外側に断熱材を設け、この断熱材の外側に通気層を介して外壁材を設けて建物外装体を構成し、前記躯体に前記通気層と連通する床下換気口を設けるとともに、天井と屋根との間の屋根裏空間に換気口を設けた外断熱建物構造であって、前記柱の外側面に幅方向の一端部が固定され、幅方向の他端部が前記外壁材方向に突出するとともに、前記柱の高さ方向の略全長に亘って第１の波板部材を設け、前記柱に対向する前記外壁材の内側面に幅方向の一端部が固定され、幅方向の他端部が前記柱方向に突出するとともに、前記外壁材の高さ方向の略全長に亘って第２の波板部材を設け、前記第１と第２の波状部材によって前記断熱材及び外壁材の幅方向の両端部を支持する支持壁を構成し、前記支持壁は、第１と第２の波状部材の波状部を重ね合わせ、前記断熱材の厚さに応じて前記波状部の重ね幅を調整した状態で第１と第２の波状部材とを連結したことを特徴とする。
【０００９】
請求項２は、請求項１の前記断熱材は、１枚もしくは複数枚を重ね合わせて構成され、少なくとも外壁材側に位置する断熱材の外側面には凹条部と凸条部とが上下方向に亘って設けられ、前記凹条部によって前記通気層が形成されることを特徴とする。
【００１０】
請求項３は、請求項１の前記第１と第２の波板部材は、前記柱または外壁材に固定される固定部材と、この固定部材に幅方向の一端部が固定される剛性を有する金属波板とから構成されていることを特徴とする。
【００１１】
請求項４は、請求項１の前記断熱材は、基礎コンクリートの外側まで延長し、基礎コンクリートを覆っていることを特徴とする。
【００１２】
前記構成によれば、支持壁は第１の波状部材と第２の波状部材とからなり、金属波板は、互いに波状部が重なった状態である。従って、断熱材に肉厚によって金属波板の重ね幅を調整することにより、断熱材の肉厚の変化に対応できる。しかも、支持壁は第１の波状部材と第２の波状部材が横方向に波状部を有しているため、特に縦方向の剛性が高く、外壁材がモルタルやタイル等の重量物であっても、十分な支持力を得ることができる。
【００１３】
【発明の実施の形態】
以下、この発明の実施の形態を図面に基づいて説明する。
【００１４】
図１〜図３は第１の実施形態を示し、図１は外断熱建物の縦断側面図である。図１に示すように、木造住宅または鉄骨木造住宅の建物は、基礎地盤２１に直接コンクリートを打設したベタ基礎２２を含む基礎コンクリート２３と、この基礎コンクリート２３の上部に設けられた躯体２４とから構成されている。
【００１５】
躯体２４は、土台２５と梁桁２６及び土台２５と梁桁２６とを連結する複数本の柱２７（隅柱２７ａ、間柱２７ｂ）とから構成されている。躯体２４の内側には部屋２８が設けられ、床２９、内壁材３０及び天井３１を備えている。また、梁桁２６の上部の軒桁３２には垂木３３が設けられ、垂木３３の上部には野地板３４、瓦下地材３５を介して屋根瓦３６が敷設されている。
【００１６】
さらに、小屋裏３７の受け板３８には発泡プラスチックからなる断熱材３９が敷設され、前記基礎コンクリート２３の内周面にも同様の断熱材３９が貼着されている。
【００１７】
また、躯体２４の外側には後述する手段によって断熱材４０が設けられ、この断熱材４０の外側には通気層４１を介して外壁材４２が設けられ、建物外装体４３が構成されている。さらに、躯体２４には通気層４１と連通する床下換気口４４が設けられ、屋根裏空間４５には換気口４６が設けられている。
【００１８】
次に、前記断熱材４０及び外壁材４２の構造について、図２及び図３に基づいて説明する。図２（ａ）は建物外装体４３の横断平面図、（ｂ）はＡ部を拡大した横断平面図、（ｃ）はＢ部を拡大した横断平面図、図３は支持壁の斜視図である。
【００１９】
図３に示すように、支持壁４７は、第１の波状部材４８と第２の波状部材４９とから構成されている。第１と第２の波状部材４８，４９は基本的に同一構造であるため、その一方について説明すると、ステンレス、アルミニウム、鉄等の金属板によって固定部材５０を備えている。この固定部材５０は柱２７の高さ方向の略全長に亘る長さを有し、しかも柱２７の幅に略等しい帯状板体で、その幅方向の中間部には長手方向の全長に亘って内側に凹部５１、外側に凸部５２が設けられている。
【００２０】
固定部材５０の凹部５１には金属波板５３の幅方向の一端部５４が溶接等によって固定部材５０に固定されている。金属波板５３は幅方向に波を有し、この波は一定の形状で高さ方向の全長に亘って形成されている。さらに、固定部材５０の幅方向の両側部には長手方向に所定間隔を存して複数本の固定ねじ５５を挿通するための取付け孔５６が設けられている。
【００２１】
前記間柱２７ｂの外側面における幅方向の中間部には凹溝５７が設けられている。この凹溝５７には第１の波状部材４８の固定部材５０に形成された凸部５２が嵌合された状態で、固定ねじ５５によって固定部材５０が間柱２７ｂに固定されている。従って、第１の波状部材４８の金属波板５３は外壁材４２に向かって突出している。
【００２２】
間柱２７ｂに対向する外壁材４２の継ぎ目５８には第２の波状部材４９が設けられている。この第２の波状部材４９の固定部材５０に形成された凸部５２には左右の外壁材４２の継ぎ目５８が接合された状態で、固定ねじ５５によって固定部材５０が外壁材４２に固定されている。従って、第２の波状部材４９の金属波板５３は間柱２７ｂに向かって突出している。
【００２３】
第１の波状部材４８と第２の波状部材４９の金属波板５３は、互いに波状部が重なった状態であり、両金属波板５３は固定ねじ５９によって結合されている。従って、間柱２７ｂと外壁材４２との間は支持壁４７によって遮断されている。
【００２４】
また、隅柱２７ａの出隅６０と外壁材４２の入隅６１との間にも基本的に同一構造の支持壁４７が設けられている。ただし、第１の波状部材４８の固定部材６２は断面Ｌ字状で、その外側角部６２ａに金属波板５３の一端部５４が溶接等によって固定されている。第２の波状部材４９の固定部材６２も断面Ｌ字状で、その内側角部６２ｂに金属波板５３の一端部５４が溶接等によって固定されている。第１の波状部材４８の固定部材６２は隅柱２７ａの外側角部に固定され、第２の波状部材４９の固定部材６２は外壁材４２の内側隅部に固定されている。第１の波状部材４８と第２の波状部材４９の金属波板５３は、互いに波状部が重なった状態であり、両金属波板５３は固定ねじ５９によって結合されている。従って、隅柱２７ａと外壁材４２の隅部との間は支持壁４７によって遮断されている。
【００２５】
支持壁４７相互間に介装された前記断熱材４０はボード状の発泡プラスチックによって構成され、本実施形態では内断熱材６３と外断熱材６４とを重ね合わせることにより構成されている。内断熱材６３の外側面には凹条部６５と凸条部６６とが上下方向に亘って設けられている。外断熱材６４の外側面及び内側面には凹条部６５と凸条部６６とが上下方向に亘って設けられている。そして、内断熱材６３の外側の凹条部６５と凸条部６６とは外断熱材６４の内側の凹条部６５と凸条部６６と嵌合されている。外断熱材６４の凸条部６６は外壁材４２の内面に当接し、凹条部６５によって通気層４１を形成している。
【００２６】
内断熱材６３及び外断熱材６４の両端面は支持壁４７を構成する第１及び第２の波状部材４８，４９に接着剤やビス等によって固定されており、内壁材３０と外壁材４２との間は断熱材４０によって充填された状態にある。
【００２７】
また、前記実施形態においては、断熱材４０が内断熱材６３と外断熱材６４との２枚重ねであるが、温暖地域においては、断熱材４０を１枚にしたり、寒冷地域においては肉厚の断熱材４０を用いたり、３枚を重ねの場合もある。
【００２８】
しかし、支持壁４７は第１の波状部材４８と第２の波状部材４９とからなり、金属波板５３は、互いに波状部が重なった状態である。従って、断熱材４０に肉厚によって金属波板５３の重ね幅を調整することにより、断熱材４０の肉厚の変化に対応できる。しかも、支持壁４７は第１の波状部材４８と第２の波状部材４９が横方向に波状部を有しているため、特に縦方向の剛性が高く、外壁材４２がモルタルやタイル等の重量物であっても、十分な支持力を得ることができる。
【００２９】
また、断熱材４０は、土台２５の外側面を通過して基礎コンクリート２３の外側面まで延長しているため、床下の断熱効果もある。さらに、基礎コンクリート２３を打設する前に専用の断熱材４０ａを設ければ、断熱材４０ａを型枠として利用することもできる。
【００３０】
【発明の効果】
以上説明したように、この発明によれば、柱の外側に断熱材を設けることにより、室内空間を広くすることができる。外壁材及び断熱材を波状部を重ねた一対の波状部材によって支持することにより、外壁材が重量物であっても強固に支持することができ、しかも断熱材の厚さの変更に対応できるという効果がある。
【図面の簡単な説明】
【図１】この発明の第１の実施形態を示す外断熱建物の縦断側面図。
【図２】同実施形態を示し、（ａ）は建物外装体の横断平面図、（ｂ）はＡ部を拡大した横断平面図、（ｃ）はＢ部を拡大した横断平面図。
【図３】同実施形態を示し、支持壁の斜視図。
【図４】従来の外断熱建物の縦断側面図。
【符号の説明】
２４…躯体、２７…柱、４０…断熱材、４１…通気層、４２…外壁材、４４…床下換気口、４５…換気口、４７…支持壁、４８…第１の波状部材、４９…第２の波状部材
【図１】
2005023678.tif 000003
【図２】
2005023678.tif 000004
【図３】
2005023678.tif 000005
【図４】
2005023678.tif 000006